(57)【要約】【課題】  水量増加時に好適に排水を処理することができ、維持管理も容易な排水処理設備の提供。【解決手段】  雨水や生活廃水等の排水が流れる流入管１２と、流入管１２の下流側端部に接続された連結管１３と、連結管１３を介して流入管１２に接続され、排水を下流側に流下させる下流側排水管１４と、連結管１３の下側又は周囲において貯水及び／又は排水が可能な集水部１０とを備え、連結管１３は、上部に１又は複数の流出孔２３，２３…を備え、連結管１３を流れる一定水量以上に達した分の水を流出孔２３，２３…より集水部１０内に流出させるようにした。【選択図】  図２
2005314879.tif 000002
【特許請求の範囲】
【請求項１】
雨水及び／又は生活廃水等の排水が流れる流入管と、該流入管の下流側端部に接続された連結管と、該連結管を介して前記流入管に接続され、前記排水を下流側に流下させる下流側排水管と、前記連結管の下側又は周囲において貯水及び／又は排水が可能な集水部とを備え、
前記連結管は、上部に１又は複数の流出孔を備え、前記連結管を流れる一定水量以上に達した分の水を前記流出孔より前記集水部内に流出させるようにしたことを特徴としてなる排水処理設備。
【請求項２】
集水部内と連通し、連結管の流出孔より流出した流出水を下流側に流下させる流出水用排水管を備えた請求項１に記載の排水処理設備。
【請求項３】
流出水用排水管の下流側に貯留浸透槽を設けた請求項２に記載の排水処理設備。
【請求項４】
流出孔は、透水可能な透水性部材で覆われた請求項１、２又は３に記載の排水処理設備。
【請求項５】
連結管は、その管径、設置勾配及び流出孔の位置によって、下流側に流下させる水量と、流出孔より流出させる水量とを調節する請求項１〜３又は４に記載の排水処理設備。
【請求項６】
下流側排水管は、下流側に設置された汚水処理設備に接続された請求項１〜４又は５に記載の排水処理設備。
【請求項７】
集水部は、内部に貯水可能な集水桝である請求項１〜５又は６に記載の排水処理設備。
【発明の詳細な説明】
【技術分野】
【０００１】
本発明は、宅地や道路等より発生した雨水や生活廃水等の排水を好適に処理するための排水処理設備に関する。
【背景技術】
【０００２】
近年、都市化による雨水流出率の増加やヒートアイランド現象による局地的な集中豪雨によって生じる浸水被害等の対応策として、宅地開発区域等には、貯留浸透槽等の雨水を一時的に貯留又は地中に浸透させることのできる施設の設置が義務付けられている。
【０００３】
従来、このような貯留浸透施設では、宅地や道路等において降雨によって雨水が発生すると、まず貯留浸透槽に集水され、貯留浸透槽内に貯留されるとともに、順次地中に浸透させるようになっており、貯留浸透槽内の水が所定の水位に達する、即ち浸透速度より流入速度が勝り、貯留浸透槽の許容範囲を超えると水はオーバーフローによって下流側に流されるようになっている。
【発明の開示】
【発明が解決しようとする課題】
【０００４】
しかし、上述の如き従来の技術では、少量の水を処理する場合においても集水桝や貯留浸透槽等において一旦貯留してから浸透処理や放水処理等を行うため、豪雨等で水量が増加した際、少量の水を処理した際に貯留した分の水が既に貯留浸透槽内に貯留又は地中に浸透されてしまっているため、処理能力が求められる水量増加時に貯留又は浸透処理できる量が制限されてしまうという問題があり、十分な許容量を確保するためには、貯留浸透槽等の設備を大型化せざるを得なかった。
【０００５】
また、家屋の雨樋等から貯留浸透槽内に流入する排水には、雨樋に溜まった塵芥等が含有されており、この塵芥が排水とともに貯留浸透槽内に流入し、貯留浸透槽の底部に堆積するため、定期的に貯留浸透槽内を清掃する必要があるなどメンテナンスが煩わしいという問題があった。
【０００６】
そこで本発明は、上述の従来技術の問題を鑑み、水量増加時に好適に排水を処理することができ、維持管理も容易な排水処理設備の提供を目的とする。
【課題を解決するための手段】
【０００７】
上述の如き従来の問題を解決し、所期の目的を達成するための請求項１に記載の発明は、雨水及び／又は生活廃水等の排水が流れる流入管と、該流入管の下流側端部に接続された連結管と、該連結管を介して前記流入管に接続され、前記排水を下流側に流下させる下流側排水管と、前記連結管の下側又は周囲において貯水及び／又は排水が可能な集水部とを備え、前記連結管は、上部に１又は複数の流出孔を備え、前記連結管を流れる一定水量以上に達した分の水を前記流出孔より前記集水部内に流出させるようにした排水処理設備であることを特徴とする。
【０００８】
請求項２に記載の発明は、請求項１の構成に加え、集水部内と連通し、連結管の流出孔より流出した流出水を下流側に流下させる流出水用排水管を備えたことを特徴とする。
【０００９】
請求項３に記載の発明は、請求項２の構成に加え、流出水用排水管の下流側に貯留浸透槽を設けたことを特徴とする。
【００１０】
請求項４に記載の発明は、請求項１、２又は３の構成に加え、流出孔は、透水可能な透水性部材で覆われたことを特徴とする。
【００１１】
請求項５に記載の発明は、請求項１〜３又は４の構成に加え、連結管は、その管径、設置勾配及び流出孔の位置によって、下流側に流下させる水量と、流出孔より流出させる水量とを調節することを特徴とする。
【００１２】
請求項６に記載の発明は、請求項１〜４又は５の構成に加え、下流側排水管は、下流側に設置された汚水処理設備に接続されたことを特徴とする。
【００１３】
請求項７に記載の発明は、請求項１〜５又は６の構成に加え、集水部は、内部に貯水可能な集水桝であることを特徴とする。
【発明の効果】
【００１４】
本発明に係る排水処理設備は、雨水及び／又は生活廃水等の排水が流れる流入管と、該流入管の下流側端部に接続された連結管と、該連結管を介して前記流入管に接続され、前記排水を下流側に流下させる下流側排水管と、前記連結管の下側又は周囲において貯水及び／又は排水が可能な集水部とを備え、前記連結管は、上部に１又は複数の流出孔を備え、前記連結管を流れる一定水量以上に達した分の水を前記流出孔より前記集水部内に流出させるようにしたことによって、水量が少ない時には排水を下流側に流下させて、集水部或いは集水部と連通した貯留浸透槽等の許容量を最大限に確保しておくことができるので、水量増加時に好適に対処することができ、しかも貯留浸透槽等の規模を小さくすることができコストの削減を図ることができる。
【００１５】
また、集水部内或いは集水部と連通した集水桝や貯留浸透槽等に塵や異物が流入するのを防止することができ、煩わしい清掃等が不要となり、容易に管理することができる。
【００１６】
集水部内と連通し、連結管の流出孔より流出した流出水を下流側に流下させる流出水用排水管を備えたことによって、好適に分流することができる。
【００１７】
流出水用排水管の下流側に貯留浸透槽を設けたことによって、流出水を好適に処理することができる。
【００１８】
流出孔は、透水可能な透水性部材で覆われたことによって、集水部や貯留浸透槽等に所定外形以上の塵や異物が堆積することを防止し、管理が容易になる。
【００１９】
連結管は、その管径、設置勾配及び流出孔の位置によって、下流側に流下させる水量と、流出孔より流出させる水量とを調節することによって、下流側に流下させる水量と、流出孔より流出させる水量とを調節することによって、設置場所や周辺環境に応じて流量を制御することができる。
【００２０】
下流側排水管は、下流側に設置された汚水処理設備に接続されたことによって、下流側にある河川等の水質汚染を防止することができる。
【００２１】
集水部は、内部に貯水可能な集水桝であることによって、水量が少ない時には雨水等の排水を下流側に流下させて、集水桝の許容量を最大限に確保しておき、水量増加時に好適に対処できる。
【発明を実施するための最良の形態】
【００２２】
次に、本発明に係る排水処理設備に関し図１〜図５について説明する。
【００２３】
図１は、排水処理設備の概略を示している。
【００２４】
この排水処理設備は、集水部を構成する集水桝１０と、雨樋１１からの雨水や生活廃水等の排水を流下させる流入管１２と、流入管１２の下流側端部に接続された連結管１３と、連結管１３を介して接続された下流側排水管１４と、貯留浸透槽１５に集水桝１０内の水を流下させるための流出水用排水管１６とを備えている。
【００２５】
集水桝１０は、図２、図３に示すように、有底筒状の底ブロック１７と、側壁を構成する筒状の複数の側壁ブロック１８，１８…と、上面を閉鎖する天板ブロック１９とを備え、それらを順次地中に沈設することにより中空箱状に形成されている。
【００２６】
この集水桝１０の側壁には、一方の側面に流入管１２が接続され、流入管１２と対向する位置に下流側排水管１４が接続され、側壁の底部には、貯留浸透槽１５と連通する流出水用排水管１６が接続されている。
【００２７】
また、この集水桝１０の底部には、インバートコンクリート２０が打設されている。
【００２８】
天板ブロック１９には、管理用孔２１が設けられ、その上端面に開閉可能な蓋体２２が設置されている。
【００２９】
連結管１３は、集水桝１０内に配置され、流入管１２と下流側排水管１４とを連結しており、集水桝１０は、連結管１３の下側において貯水又は排水が可能となっている。
【００３０】
尚、連結管１３と、流入管１２及び下流側排水管１４とは、それぞれ図示しない継手部材により連結されている。
【００３１】
この連結管１３は、図４に示すように、上部、即ち、管底部を除いた管外周面に多数の流出孔２３，２３…が形成されている。
【００３２】
この連結管１３では、図５（ａ）に示すように、水は管底部を流れて下流側に流下するようになっているとともに、一定水量以上に達した分の排水を流出孔２３より集水部１０内に流出させるようになっている。
【００３３】
即ち、連結管１３内に一定水量以上の水が流れると、図５（ｂ）に示すように、管内水位が流出孔２３，２３…が形成された位置にまで達し、一定水量以上に達した分の水が流出孔２３，２３…より集水桝１０内、即ち集水部内に流出されるようになっている。
【００３４】
従って、流出孔２３を形成する位置、即ち流出孔２３の管底からの距離ｈによって、流出孔２３より流出する水量を制御することができる。
【００３５】
流出孔２３は、一辺が２ｍｍ以下の角形に形成され、排水に含まれる外形が２ｍｍ以上の塵や異物を集水部内に流出させないようになっている。
【００３６】
また、この連結管１３の管径、設置勾配、流出孔２３の大きさ等によって、下流側に流下させる水量と流出孔より流出して集水部内に流出する水量とを調整できるようになっている。
【００３７】
更には、下流側排水管１４の管径を連結管１３に対して小さくすることによって、下流側へ流下する水量を制御するようにしてもよい。
【００３８】
この排水処理設備において、雨樋１１等から流下された排水は、流入管１２を通って連結管１３に至り、連結管１３内に流れる水量が一定水量以下であれば、下流側排水管１４を経て下流側に設置された汚水処理設備に流下される。
【００３９】
一方、連結管１３内に一定水量以上の水が流れた場合には、連結管１３内の水位が流出孔２３，２３…の位置まで達し、一定水量以上に達した分の水が連結管１３を流下する際に流出孔２３より集水桝１０内、即ち集水部に流出する。
【００４０】
その際、外形２ｍｍ以上の塵や異物は、流出孔２３を通過することができずに下流側に押し流されるようになっている。
【００４１】
従って、流出孔２３より流出した流出水は、流出孔２３を通過する際に濾過された状態になっている。
【００４２】
そして、この濾過された流出水ｗ１が流出水用排水管１６を通して貯留浸透槽１５に送り込まれ、貯留浸透槽１５内に貯留されるとともに、貯留浸透槽１５の底部又は側部より順次地中に浸透されていく。
【００４３】
このとき、一定水量以下の状態では、排水は下流側に流れるために貯留浸透槽１５内は空の状態にあり、水量増加時はその処理容量を最大限に使用することができるようになっている。
【００４４】
一方、下流側に流下された排水ｗ２は、塵等を含有しているため、汚水処理設備に送り込まれ、塵や異物を分離除去した後、河川や放水池等に放流されるようになっている。
【００４５】
尚、集水部は、内部に貯水可能な貯留型集水桝３０であってもよい。尚、上述の実施例と同一の部分には、同一符号を付して説明を省略する。
【００４６】
この集水桝３０は、図６、図７に示すように、中央の隔壁３１により隔てられた前室３２と後室３３とを有する本体ブロック３４と、本体ブロック３４の上面を閉鎖する天板ブロック３５と、天板ブロック３５の上部に設置された管理用孔３６，３６とを備え、前室３２内に貯留された排水が所定水位を超えると隔壁３１上部に形成された越流孔３７より後室３３内に流出するようになっている。
【００４７】
また、本体ブロック３４には、各室３２，３３内をそれぞれ下端部に連通口３８が形成された状態に隔てる遮壁３９，４０が一体に形成されている。
【００４８】
この集水桝３０の前室側側壁、即ち本体ブロック３４の側壁には、流入管１２が接続されている。
【００４９】
一方、流入管１２の対向部側壁には、下流側排水管１４が接続され、流入管１２及び下流側排水管１４が連結管１３を介して連結されている。
【００５０】
連結管１３は、図４に示す上述の連結管と同様に形成され、この連結管１３を流れる排水が一定水量以上に達した場合、一定水量以上に達した分の水が流出孔２３より集水桝３０内、即ち前室３２内に流出するようになっている。
【００５１】
また、この集水桝３０は、底部に水よりも比重の重い泥質や異物を除去するための分離手段４１を備えている。
【００５２】
この分離手段４１は、汚水処理設備に連通された汚水排水管４２と、該汚水排水管４２と前室３２及び後室３３の底部とを連通する排水口４３，４３とを備え、各室３２，３３に貯留された排水に含有された水より比重の重い泥や異物が底部に沈澱し、それが排水口４３，４３より汚水排水管４２に流れ込み、汚水排水管４２を通して汚水処理設備に流下するようになっている。
【００５３】
一方、水よりも比重の軽い油等は、遮壁３９，４０の上流側で分離されて水面に浮き上がり、それを管理用孔３６，３６より除去するようになっている。
【００５４】
そして、流出水用排水管１６は、上述の実施例と同様に、その下流側が貯留浸透槽１５に接続され、下流側排水管１４は、その下流側が汚水処理設備に接続されている。
【００５５】
この排水処理設備では、排水が雨樋１１等から流入管１２を通って集水桝３０内に到達し、所定の水量以下では、連結管１３を通して下流側排出管１４に通され、下流側に流下させる。そして、下流側に設置された汚水処理設備で分離処理されて、処理済の水が河川や放水池等に放流される。
【００５６】
一方、連結管１３内が一定水量以上になると、管内の水位が流出孔２３，２３…の位置まで達し、一定水量以上に達した分の排水が連結管１３を流下する際に流出孔２３より集水桝３０、即ち前室３２内に流出する。
【００５７】
流出水ｗ１は、前室３２内に貯留され、所定の水位を超えると、越流孔３７より後室３３側に流出するようになっている。
【００５８】
このとき、水よりも比重の重い泥や異物は前室３２内で沈澱し、汚水配水管４２より汚水処理設備に流下するようになっており、水よりも比重の軽い油分等は、水と分離して水面上に浮き、それを管理用孔３６より除去するようになっている。
【００５９】
次に、後室３３内に越流した排水は、後室３３内に貯留され、一定水位以上、即ち流出水用排水管１６のが接続された高さより水位が高くなると、流出水が流出水用排水管１６より貯留浸透槽１５に流下される。
【００６０】
このとき、水よりも比重の重い泥や異物は後室３３内で沈澱し、汚水配水管４２より汚水処理設備に流下するようになっており、水よりも比重の軽い油分等は、水と分離して水面上に浮き、それを管理用孔３６より除去するようになっている。
【００６１】
このように前室３２及び後室３３を通過する過程において、流出水ｗ１に含有された塵、異物及び油分等が除去されて流出水ｗ１は濾過された状態となり、これを貯留浸透槽１５において地中に浸透させる。
【００６２】
尚、上述の実施例では、流出水用排水管の下流側に貯留浸透槽を設けた例について説明したが、流出水用排水管の下流側を放水池や河川とし、最終的にそこに濾過された流出水を放流するようにしてもよい。
【００６３】
また、上述の実施例では、集水部を集水桝とした例について説明したが、集水部を貯留浸透槽や放水（貯留）池等により構成してもよい。
【００６４】
更に、上述の実施例では、下流側排水管の下流側に汚水処理設備を備えた例について説明したが、環境に応じて汚水物質の含有率が低い場合には、河川や放水池等に接続し、放水するようにしてもよい。
【００６５】
また、連結管が多数の流出孔を備えた例について説明したが、連結管の上部に大きな流出孔を一つだけ形成するようにしてもよく、流出孔をメッシュ材等の透水性部材によって覆い、フィルターを設けるようにしてもよい。
【００６６】
上述の実施例では、流入管、連結管及び下流側排水管をそれぞれ別個の管体をもって構成した例について説明したが、流入管、連結管及び下流側排水管を一本の管体をもって一体に構成し、その管体の集水部を通る部分に流出孔を形成するようにしてもよい。
【図面の簡単な説明】
【００６７】
【図１】本発明に係る排水処理設備の概要を示す断面図である。
【図２】図１中の集水桝を示す断面図である。
【図３】同上のＡ−Ａ線断面図である。
【図４】同上の連結管を示す部分断面斜視図である。
【図５】（ａ）は一定水量以下での連結管内の状態を示す断面図、（ｂ）は同一定水量以上での連結管内の状態を示す断面図である。
【図６】図１中の集水桝の他の例を示す断面図である。
【図７】同上の集水桝のＢ−Ｂ線断面図である。
【符号の説明】
【００６８】
１０  集水桝
１１  雨樋
１２  流入管
１３  連結管
１４  下流側排水管
１５  貯留浸透槽
１６  流出水用排水管
１７  底ブロック
１８  側壁ブロック
１９  天板ブロック
２０  インバートコンクリート
２１  管理用孔
２２  蓋体
２３  流出孔
３０  集水桝（貯留型集水桝）
３１  隔壁
３２  前室
３３  後室
３４  本体ブロック
３５  天板ブロック
３６  管理用孔ブロック体
３７  越流孔
３８  連通口
３９，４０  遮壁
４１  分離手段
４２  汚水排水管
４３  排水口
【図１】
2005314879.tif 000003
【図２】
2005314879.tif 000004
【図３】
2005314879.tif 000005
【図４】
2005314879.tif 000006
【図５】
2005314879.tif 000007
【図６】
2005314879.tif 000008
【図７】
2005314879.tif 000009